(57)【特許請求の範囲】
【請求項１】
聴覚装置用の集積回路であって、
前記集積回路は、接地レールと、第１電圧（Ｖ１）を供給するように構成された第１電力レールと、第２電圧（Ｖ２）を供給するように構成された第２電力レールを備えており、
前記集積回路は、前記集積回路と他の構成要素を接続するための複数のパッドを備えており、
前記複数のパッドは、第１出力パッドを含む少なくとも１つの出力パッドを含んでおり、
前記集積回路は、前記接地レールに接続された接地ピンと、前記第１電力レールに接続された第１電力供給ピンと、前記第２電力レールに接続された第２電力供給ピンと、データピンと、少なくとも１つの電圧選択ピンと、前記第１出力パッドに結線された出力ピンを有する第１出力セルを含む少なくとも１つの出力セルを備えており、
前記第１出力セルは、前記少なくとも１つの電圧選択ピンに入力される制御信号に応じて、前記出力ピンの電圧が第１振幅を有する第１モードによって、および前記出力ピンの電圧が第１振幅よりも大きい第２振幅を有する第２モードによって、動作するように構成されており、
前記第１出力セルが、それぞれのトランジスタが第１端子と、第２端子と、第３端子と、第４端子を有する、第１トランジスタと、第２トランジスタと、第３トランジスタを含む、少なくとも３つのトランジスタを備えており、
前記第２トランジスタの前記第４端子と、前記第３トランジスタの前記第４端子が、最大電圧を供給する電力供給ピンに結線されているとともに共通端子に結線されており、
前記第１トランジスタの前記第１端子が前記接地ピンに結線されており、前記第１トランジスタの前記第２端子が、必要に応じてレベルシフタを介して、前記データピンに接続されており、前記第３端子が前記出力ピンに結線されており、前記第４端子が前記第１端子に結線されている、集積回路。
【請求項２】
前記第３トランジスタの前記第１端子が前記第２電力供給ピンに結線されており、前記第３トランジスタの前記第１端子が前記共通端子である、請求項１の集積回路。
【請求項３】
前記第２トランジスタの前記第１端子が前記第１電力供給ピンに結線されている、請求項１又は２の集積回路。
【請求項４】
前記第２トランジスタおよび前記第３トランジスタの前記第３端子が前記出力ピンに結線されている、請求項１から３の何れか一項の集積回路。
【請求項５】
前記集積回路が、第３電圧（Ｖ3）を供給する第３電力レールを備えており、
前記第１出力セルが、前記出力ピンと第３電力供給ピンの間に接続された第４トランジスタを備えており、
前記第３電力供給ピンが前記第３電力レールに接続されている、請求項１から４の何れか一項の集積回路。
【請求項６】
前記第４トランジスタが、第１端子と、第２端子と、第３端子と、第４端子を有しており、
前記第４端子が、前記共通端子に結線されており、
前記第１出力セルが、前記少なくとも１つの電圧選択ピンに入力される制御信号に応じて、前記第１出力ピンの電圧が第３振幅を有する第３モードによって、動作するように構成されている、請求項５の集積回路。
【請求項７】
前記第４トランジスタの前記第１端子が、前記第３電力供給ピンに結線されており、
前記第４トランジスタの前記第３端子が、前記出力ピンに結線されている、請求項６の集積回路。
【請求項８】
前記第１出力セルが、前記第２、第３および第４トランジスタをそれぞれ選択的にアクティブ化することによってモードを選択するための、前記少なくとも１つの電圧選択ピンと前記データピンに接続された入力と、前記第２、第３およびもしあれば第４トランジスタの前記第２端子に接続された出力を有する論理回路を備える、請求項１から７の何れか一項の集積回路。
【請求項９】
前記集積回路が、前記第１出力セルに接続されたコアを備えており、
前記コアが、聴覚装置のための信号処理を実行するように構成されている、請求項１から８の何れか一項の集積回路。
【請求項１０】
請求項１から９の何れか一項の集積回路を備える聴覚装置。
【請求項１１】
集積回路を製造するための方法であって、
出力ピンと、それぞれが第１端子と、第２端子と、第３端子と、第４端子を有する、少なくとも２つの駆動トランジスタを有する少なくとも１つの出力セルを提供する工程を備えており、
前記第１端子は、それぞれの前記出力セルの第１および第２電力供給ピンに接続されており、
前記第３端子は、前記出力ピンに接続されており、
前記２つの駆動トランジスタの前記第４端子は、前記それぞれの駆動トランジスタの前記第３および第４端子の間の電圧差が、前記第３および第４端子の間のダイオードしきい値電圧よりも小さくなるように、結線されており、
前記２つの駆動トランジスタの前記第４端子は、共通端子に結線されている、方法。
【発明の詳細な説明】
【技術分野】
【０００１】
本発明は、設定可能な出力セルを備える集積回路（ＩＣ）に関し、特に、聴覚装置用の、あるいは聴覚装置に適応可能なＩＣに関する。
【背景技術】
【０００２】
埋め込み型のデジタル信号プロセッサを備える集積回路（ＩＣ）またはチップは、コンパクトで小さい補聴器を提供するために、補聴器の業界において広く用いられている。補聴器に使用されるＩＣは、小型であり、入力／出力ポートまたはパッドの数は限られている。典型的には、ＩＣは補聴器の特定の構成要素とインターフェース接続するように設計されている。
【発明の概要】
【発明が解決しようとする課題】
【０００３】
様々な構成要素を使用可能とし、あるいは複数の様々な聴覚装置モデルにおいて同一の構成要素を使用可能とするように、補聴器を設計および組立てる際の設計の柔軟性を高めることが必要とされている。さらに、聴覚装置の限られた電力供給能力に起因して、低消費電力のＩＣを提供することが必要とされている。
【課題を解決するための手段】
【０００４】
上記を踏まえて、補聴器用の集積回路（ＩＣ）が提供される。その集積回路は、接地レールと、第１電圧を供給するように構成された第１電力レールと、第２電圧を供給するように構成された第２電力レールを備えている。その集積回路は、集積回路を他の構成要素に接続するための複数のパッドを備えている。その複数のパッドは、第１出力パッドを含む、少なくとも１つの出力パッドを含んでいる。集積回路は、接地レールに接続された接地ピンと、第１電力レールに接続された第１電力供給ピンと、第２電力レールに接続された第２電力供給ピンと、データピンと、少なくとも１つの電圧選択ピンと、第１出力パッドに結線された出力ピンを有する第１出力セルを含む、少なくとも１つの出力セルを備えている。第１出力セルは、少なくとも１つの電圧選択ピンに入力される制御信号に応じて、出力ピンの電圧が第１振幅を有する第１モードによって、および出力ピンの電圧が第１振幅より大きい第２振幅を有する第２モードによって、動作するように構成されている。
【０００５】
集積回路を製造する方法も開示される。その方法は、少なくとも１つの出力セルを提供する工程を備えている。少なくとも１つの出力セルは、出力ピンと、少なくとも２つの駆動トランジスタを有している。少なくとも２つの駆動トランジスタは、それぞれが第１端子と、第２端子と、第３端子と、第４端子を有している。第１端子は、第１および第２電力供給端子にそれぞれ接続されている。第３端子は、出力ピンに接続されている。第４端子は、それぞれの駆動トランジスタの第３および第４端子の間の電圧差が、第３および第４端子の間のダイオードしきい値電圧よりも小さくなるように、結線されている。その方法は、第４端子を、最大供給電圧を供給するように構成された電力供給ピン、例えば第２電力供給ピンに結線する工程を備えていてもよい。
【０００６】
本発明の利点は、設定時に、あるいは使用中に、レジスタの設定内容を調整することで、第１出力パッドの電圧振幅を容易に調整することが可能となり、それによって、ＩＣのパッドの数を増やすことなく補聴器の製造者にとっての設計の柔軟性を高めると同時に、ＩＣにおける望ましくない電流経路を取り除いて低消費電力を維持できることである。
【図面の簡単な説明】
【０００７】
本発明の上記および他の特徴および利点は、添付図面と、例示的な実施形態についての以下の詳細な説明によって、当業者に容易に明らかになるであろう。
【図１】聴覚装置を模式的に示す図である。
【図２】例示的な集積回路を示す図である。
【図３】例示的な出力セルを示す図である。
【発明を実施するための形態】
【０００８】
添付の図面は模式的であり、分かり易くするために簡略化されており、本発明の理解に不可欠な詳細のみを示しているが、その他の詳細については省略されている。全体を通して、同じ参照符号は同一または対応する部分に使用される。
【０００９】
少なくとも一つの出力セル、例えば第１出力セルは、双方向通信が必要な場合、入力／出力（ＩＯ）セルの一部を形成し、あるいは入力／出力（ＩＯ）セルに埋め込まれていてもよい。
【００１０】
集積回路は、ユーザの聴覚障害を補償するために、例えばデジタル音声信号のデジタル信号処理のための、プロセッサコアを、必要に応じて備えている。プロセッサコアは、聴覚装置の他のユニットまたは構成要素、例えばＡＤ変換ユニット、ユーザインターフェース、メモリユニットおよび／または無線ユニットと通信するための、複数の通信セルまたは周辺ユニットに接続されている。従って、上記のＩＣは、ここで記載するように、少なくとも１またはそれ以上の出力セルが埋め込まれた第１通信セルを含む、少なくとも１つの通信セルを備えている。上記のＩＣは、第２および／または第３通信セルを備えていてもよい。
【００１１】
通信セルは、１またはそれ以上の標準プロトコルによって通信するように構成することができる。代表的なプロトコルは、ただしこれには限定されないが、シリアルペリフェラルインターフェース（ＳＰＩ）バス、マスタおよび／またはスレーブを備える集積回路間通信（ＩＩＣまたはＩ２Ｃ）、統合チップ間サウンド（ＩＩＳ、Ｉ２Ｓ）、および無線通信用プロトコルなどを含んでいてもよい。
【００１２】
通信セルまたはユニットは、通信セルの機能に応じて、１またはそれ以上の出力セル、例えば第１出力セルおよび／または第２出力セルを備えることができる。通信セルは、１またはそれ以上の入力セルを備えていてもよい。通信セルは、１またはそれ以上の入力／出力（ＩＯ）セル、すなわち双方向通信するように構成されているセルを備えていてもよい。
【００１３】
集積回路は、ＩＣまたはＩＣの通信セルを、他の構成要素、例えばメモリユニット、無線ユニット、ユーザインターフェース、バッテリなどの電力供給装置などと接続するための複数のパッドを備えている。複数のパッドは、接地電位または他の基準電圧に接続するための第１パッドと、電力供給装置、例えばバッテリと接続するための第２パッドと、ＩＣを他の構成要素と接続するための出力パッドとして動作するように構成された第１通信パッドを含む複数の通信パッドを含んでいる。
【００１４】
第１電力レールは、第１電圧Ｖ1、例えばＶbatteryを供給するように構成することができ、第２電力レールは、第２電圧Ｖ2を供給するように構成することができる。第２電圧Ｖ2は、第１電圧Ｖ1よりも大きくすることができる。１またはそれ以上の実施形態において、Ｖ2＝２＊Ｖbatteryである。
【００１５】
出力セル、例えば第１出力セルおよび／または第２出力セルは、第１トランジスタ、第２トランジスタおよび第３トランジスタを備えていてもよい。ここで、それぞれのトランジスタは、第１端子、第２端子、第３端子および第４端子を有している。
【００１６】
第１トランジスタはＮ−ＭＯＳトランジスタであってもよい。ここで、第１端子はソースであり、第２端子はゲートであり、第３端子はドレインであり、第４端子はボディである。第１トランジスタは、出力ピンの電圧を、接地レールに印加された接地電位または他の基準電圧とするように、構成することができる。従って、第１トランジスタは、接地トランジスタということもできる。
【００１７】
第２、第３および／または第４トランジスタは、Ｐ−ＭＯＳトランジスタとすることができる。ここで、第１端子はソースであり、第２端子はゲートであり、第３端子はドレインであり、第４端子はボディである。第２、第３および／または第４トランジスタは、出力ピンの電圧を、ＩＣにおいて利用可能な電力レールを介してそれぞれの電力供給ピンに印加される電圧とするように、構成することができる。ＩＣは、それぞれが出力ピンとそれぞれの電力供給ピンの間に接続された、複数の駆動トランジスタを備えていてもよい。少なくとも２つの駆動トランジスタの第４端子は、少なくとも２つの駆動トランジスタの第３端子の電圧レベル以上の電圧を備える共通端子に接続してもよい。
【００１８】
１またはそれ以上の出力セルにおいて、第１トランジスタの第１端子は接地ピンに結線されていてもよく、第１トランジスタの第３端子は出力ピンに結線されていてもよい。第１トランジスタの第４端子は、第１端子に結線されていてもよい。
【００１９】
第１トランジスタの第２端子は、データピンに結線されていてもよいし、データピン上のデータ信号を処理して信号振幅を補正する第１レベルシフタの出力に接続されていてもよい。
【００２０】
１またはそれ以上の出力セルにおいて、第２トランジスタの第１端子は第１電力供給ピンに結線されていてもよいし、第２トランジスタの第３端子は出力ピンに結線されていてもよい。
【００２１】
１またはそれ以上の出力セルにおいて、第３トランジスタの第１端子は第２電力供給ピンに結線されていてもよいし、第３トランジスタの第３端子は出力ピンに結線されていてもよい。
【００２２】
１またはそれ以上の出力セルにおいて、駆動トランジスタの第４端子は、それぞれの駆動トランジスタの第３端子と第４端子の間の電圧差Ｖdif＝Ｖthird terminal−Ｖfourth terminalが、第３および第４端子の間の寄生ダイオードについてのダイオードしきい値電圧Ｖthresよりも小さくなるように、結線されていてもよい。電圧差Ｖdifは、０．４Ｖより低くてもよい。１またはそれ以上の駆動トランジスタについて、電圧差Ｖdifは０．４Ｖより低くてもよく、例えば０．３Ｖより低くてもよく、０．２Ｖより低くてもよい。１またはそれ以上の実施形態において、電圧差Ｖdifは０Ｖ以下であってもよい。第４端子が最大の電力供給電圧に結線されている実施形態においては、Ｖdifは動作モードに関わりなく、０Ｖ以下であることが保証される。
【００２３】
１またはそれ以上の出力セル、例えば第１出力セルにおいて、第２トランジスタの第４端子および第３トランジスタの第４端子は、最大電圧を供給する電力供給ピンに結線されていてもよい。第２トランジスタの第４端子および第３トランジスタの第４端子は、共通端子に結線されていてもよい。第３トランジスタの第１端子は共通端子であってもよい。それによって、出力ピンの電圧振幅が最小となるモードで出力セルが動作する場合の、望ましくないリーク電流を回避することができる。
【００２４】
第２トランジスタと第３トランジスタの第２端子は、第１動作モード（第２トランジスタがアクティブ）と第２動作モード（第３トランジスタがアクティブ）を選択するために、第１出力セルの論理回路の出力に接続されていてもよい。
【００２５】
集積回路の１またはそれ以上の出力セルは、少なくとも１つの電圧選択ピンに入力される制御信号に応じて、出力ピン上の電圧信号がＶGND*とＶ1*の間で切り換わる第１モードで、および出力ピン上の電圧信号がＶGND*とＶ2*の間で切り換わる第２モードで動作可能となるように構成することができる。
【００２６】
集積回路は第３電圧Ｖ３を供給するように構成された第３電力レールを備えていてもよく、第１出力セルは出力ピンと第３電力レールに接続された第３電力供給ピンの間に接続された第４トランジスタを備えていてもよい。
【００２７】
第４トランジスタは、第１端子、第２端子、第３端子および第４端子を有する。第４端子は共通端子に結線されていてもよい。第１出力セルは、少なくとも１つの電圧選択ピンに入力される制御信号に応じて、第１出力ピン上の電圧が第３振幅を有する第３モードによって動作するように構成されていてもよい。第４トランジスタの第１端子は第３電力供給ピンに結線されていてもよく、第４トランジスタの第３端子は出力ピンに結線されていてもよい。第４トランジスタの第２端子は、第３の動作モードにおいて第４トランジスタのアクティブ化が可能な論理回路に結線されていてもよい。ここで、出力ピンの電圧信号は、少なくとも１つの電圧選択ピンに入力される制御信号に応じて、ＶGND*とＶ3*の間で切り換わる。
【００２８】
集積回路の１またはそれ以上の出力セルは、第２、第３および第４トランジスタを選択的にアクティブ化することによってモードを選択するための、少なくとも１つの電圧選択ピンとデータピンに接続された入力と、駆動トランジスタ（第２、第３およびもしあれば第４トランジスタ）の第２端子に接続された出力を有する論理回路を備えていてもよい。
【００２９】
集積回路は、データ信号を処理して信号振幅を補正するための、データピンと第１、第２および第３トランジスタの第２端子の間の第１レベルシフタを含む、少なくとも１つのレベルシフタを備えていてもよい。第１レベルシフタは、データピンと論理回路の間および／または論理回路と駆動トランジスタの第２端子の間に配置することができる。
【００３０】
少なくとも１つのレベルシフタは、電圧選択信号を処理して論理回路に対する信号振幅を補正するための、少なくとも１つの電圧選択ピンと論理回路の間の第２レベルシフタを含んでいてもよい。
【００３１】
集積回路は、第１出力セルに接続されたコアを備えていてもよい。ここで、コアは聴覚装置についての信号処理を実行するように構成されている。
【００３２】
図１は聴覚装置２を示している。聴覚装置２は、電気的および／または音響的な形式の音声信号を受信するための音声入力インターフェース４を備えている。音声入力インターフェース４は、１またはそれ以上のマイク、例えば第１マイクおよび／または第２マイク、および／またはテレコイルを備えることができる。音声入力インターフェース４は、外部音源を聴覚装置２に結合するための、音声コネクタまたは音声入力ブーツを備えることができる。音声入力インターフェース４は、信号処理ユニットまたは集積回路８に接続されているＡＤ変換ユニット６に接続されている。ＡＤ変換ユニット６は、音声入力インターフェース４からの音声信号を変換または変形して、デジタル音声信号を処理するために、例えば聴覚損失やその他の聴覚障害を補償するために、信号処理ユニット８に送信する。信号処理ユニット８は、ＡＤ変換ユニット６の動作を設定し、制御するために、ＡＤ変換ユニット６に制御信号を送信することができる。信号処理ユニット８は、例えば設定の際に、および／または補聴器の使用時に、ユーザ、コンピュータまたは別の聴覚装置が当該聴覚装置と通信できるように、ユーザインターフェース１０に接続することができる。ユーザインターフェース１０は、例えば設定の際にコンピュータに結合できるように、あるいは別の聴覚装置に結合できるように、プッシュボタンおよび／またはデータケーブル用のコネクタを備えることができる。聴覚装置２は、データまたは補聴器パラメータを格納するための、信号処理ユニット８に接続されたメモリユニット１２を備えることができる。聴覚装置２は、信号処理ユニット８に接続されており、例えば聴覚装置２が別の装置、例えば聴覚装置および／または無線インターフェースと無線によって通信できるように、無線信号を受信および／または送信するように構成された無線ユニット１４を必要に応じて備えることができる。ＡＤ変換ユニット６は、信号処理ユニットまたは集積回路８に埋め込むことができる。聴覚装置２は、ユーザに音声信号を発するための信号処理ユニット８に接続されたレシーバまたはラウドスピーカ１６を備えることができる。
【００３３】
図２は、本発明に係る典型的な信号処理ユニットまたは集積回路８を示す。集積回路８は、例えばＡＤ変換器６からのデジタル音声信号のデジタル信号処理のためのプロセッサコア１８を備えている。プロセッサコア１８は、聴覚装置の別のユニット、例えばＡＤ変換ユニット６、ユーザインターフェース１０、メモリユニット１２および／または無線ユニット１４と通信するための、複数の通信セルまたは周辺ユニットに接続されている。
【００３４】
集積回路８は、プロセッサコア１８のインターフェースを形成する、複数の通信セル２０、２８、３０、３２、３４、３６、３８を備えている。通信セルは、接続されるユニットに応じた様々な通信プロトコルを実装するように構成することができる。第１および／または第２の出力セルまたはＩＯセルは、通信セル２０、２８、３０、３２、３４、３６、３８のそれぞれ、あるいは１またはそれ以上において実装することができる。また、集積回路は、ここで記載されるように、１またはそれ以上の出力セルまたはＩＯセルを必要に応じて備えているクロック管理セル２２を備えることができる。
【００３５】
図３は、本発明による典型的な出力セル、例えば、図２の集積回路の１またはそれ以上の通信セルに実装された、第１および／または第２の出力セルを示す。出力セル１０６は、集積回路の接地レール５０に接続された接地ピン１０８と、第１電圧Ｖ１を供給するように構成された集積回路の第１電力レール５２に接続された第１電力供給ピン１１０と、第２電圧Ｖ２を供給するように構成された集積回路の第２電力レール５４に接続された第２電力供給ピン１１２と、データピン１１４と、少なくとも１つの電圧選択ピン１１６と、第１出力パッド１０４に結線された出力ピン１１８を有している。出力セル１０６は、さらにコア電力レール５６に接続されたコア電力供給ピン１２０を備えている。第１出力パッド１０４は、図に示すように出力セル１０６に埋め込まれていてもよいし、集積回路内で出力セルの外側に配置されていてもよい。
【００３６】
出力セル１０６、すなわち第１出力セルは、少なくとも１つの電圧選択ピン１１６に入力される制御信号に応じて、出力ピン１１８の電圧が第１振幅Ｖ1*を有する第１モードによって、あるいは第１出力ピンの電圧が第１振幅よりも大きい第２振幅Ｖ2*を有する第２モードによって、動作するように構成されている。出力セル１０６は、それぞれ第１端子１２８Ａ、１２８Ｂ、１２８Ｃ、第２端子１３０Ａ、１３０Ｂ、１３０Ｃ、第３端子１３２Ａ、１３２Ｂ、１３２Ｃ、第４端子１３４Ａ、１３４Ｂ、１３４Ｃを有する、第１トランジスタ１２２、第２トランジスタ１２４および第３トランジスタ１２６を備えている。論理回路１３６は、少なくとも１つの電圧選択ピン１１６と第２端子１３０Ｂおよび１３０Ｃの間に配置されており、所望の動作モードに応じて、第２トランジスタおよび第３トランジスタを選択的にアクティブにする。出力セルは、データ信号レベルを調整するために、データピン１１４と第２端子１３０Ｂおよび１３０Ｃの間に連結されている、第１レベルシフタ１３８を備えている。さらに、第２レベルシフタ１４０は、電圧選択信号レベルを調整するために、少なくとも１つの電圧選択ピン１１６と第２端子１３０Ｂおよび１３０Ｃの間に連結されている。レベルシフタ１３８，１４０は、第２電力供給ピン１１２とコア電力供給ピン１２０に接続されている。少なくとも１つの電圧選択ピン１１６は、２を超える様々な出力セルの動作モードを選択するために、第１電圧選択ピンと第２電圧選択ピンを備えることができる。各トランジスタは、図３に示されている第３端子と第４端子の間に、固有の寄生ダイオードを有している。第４端子のカップリングは、駆動トランジスタの第４および第３端子の間の寄生電流を除去または軽減する。
【符号の説明】
【００３７】
２  聴覚装置
４  音声入力インターフェース
６  ＡＤ変換ユニット
８  信号処理ユニット
１０  ユーザインターフェース
１２  メモリユニット
１４  無線ユニット
１６  ラウドスピーカ／レシーバ
１８  コア
２０  通信セル（マスタインターフェース）
２２  クロック管理セル
２４  音声入力／出力
２６  Ｈブリッジ
２８  通信セル（無線通信コントローラ）
３０  通信セル（ＩＩＣマスタ）
３２  通信セル（ＩＩＳマスタ）
３４  通信セル（ＳＰＩマスタ）
３６  通信セル（ＣＯＭインターフェース）
３８  通信セル（ＩＩＣスレーブ）
５０  接地レール
５２  第１電力レール
５４  第２電力レール
５６  コア電力レール
１０４  第１出力パッド
１０６  出力セル
１０８  接地ピン
１１０  第１電力供給ピン
１１２  第２電力供給ピン
１１４  データピン
１１６  電圧選択ピン
１１８  出力ピンまたは出力ノード
１２０  コア電力供給ピン
１２２  第１トランジスタ
１２４  第２トランジスタ
１２６  第３トランジスタ
１２８Ａ，１２８Ｂ，１２８Ｃ  第１端子
１３０Ａ，１３０Ｂ，１３０Ｃ  第２端子
１３２Ａ，１３２Ｂ，１３２Ｃ  第３端子
１３４Ａ，１３４Ｂ，１３４Ｃ  第４端子
１３６  論理回路
１３８  第１レベルシフタ
１４０  第２レベルシフタ
【図１】
0005734258.tif 000002
【図２】
0005734258.tif 000003
【図３】
0005734258.tif 000004